(57)【特許請求の範囲】
【請求項１】
左右方向に伸縮性を有し両端が面ファスナーによって着脱自在に貼合可能で、ユーザーの骨盤の周囲を支持する一枚物の帯状体からなる腰用サポーターにおいて、
使用時にユーザーの仙骨後方を面で宛てがい支持する中央部と、
前記中央部の左右にそれぞれ設けられユーザーの腸骨の周囲を支持する側面部を備え、
前記側面部にはそれぞれ、前記中央部側からユーザーの中臀筋を横切るように前記面ファスナー側に延びる短スリットが上下に複数形成され、
さらに、前記側面部及び中央部の上下方向略中央には、左右方向に延び一方の前記側面部から他方の前記側面部まで連続した少なくとも一つの長スリットが形成されたことを特徴とする腰用サポーター。
【請求項２】
前記長スリットよりも下方に位置する前記短スリットの数を、前記長スリットよりも上方に位置する前記短スリットの数よりも多くしたことを特徴とする請求項１に記載の腰用サポーター。
【請求項３】
左右方向に伸縮性を有し両端が面ファスナーによって着脱自在に貼合可能で、ユーザーの骨盤の周囲を支持する腰用サポーターにおいて、
使用時にユーザーの仙骨後方を面で宛てがい支持する中央部と、
前記中央部の左右にそれぞれ設けられユーザーの腸骨の周囲を支持する上側の第一側面部及び下側の第二側面部からなる側面部を備え、
左側の前記第一側面部の一端と左側の前記第二側面部の一端は互いに離間して前記中央部に連結され、左側の前記第一側面部の他端と左側の前記第二側面部の他端は互いに重ね合わせられて連結されるとともに、
右側の前記第一側面部の一端と右側の前記第二側面部の一端は互いに離間して前記中央部に連結され、右側の前記第一側面部の他端と右側の前記第二側面部の他端は互いに重ね合わせられて連結され、
しかも前記第一側面部及び第二側面部にはそれぞれ、前記中央部側からユーザーの中臀筋を横切るように前記面ファスナー側に延びる短スリットが上下に複数形成されたことを特徴とする腰用サポーター。
【発明の詳細な説明】
【技術分野】
【０００１】
本発明は、ユーザーの骨盤の周囲を支持する腰用サポーターに関するものである。
【背景技術】
【０００２】
従来、ユーザーの骨盤の周囲に巻き付けることで骨盤を支持し、骨盤を安定させるとともに腹筋や背筋のはたらきを補助して腰痛を軽減させる腰用サポーターが広く使用されている。
このような腰用サポーターとして、図７に示すようなサポーター本体１１に補助ベルト１２が取付けられたものが開示されている（例えば、特許文献１参照）。
【先行技術文献】
【特許文献】
【０００３】
【特許文献１】特開２００４−２７７９３６号公報
【０００４】
図７に記載の腰用サポーター１０は、左右方向に伸縮性を有し両端が面ファスナー１５によって着脱自在に貼合可能な帯状体であるサポーター本体１１と、サポーター本体１１の一方の面に重ね合わせて取付けられた上下二段の補助ベルト１２からなる。
この補助ベルト１２には、サポーター本体１１の伸縮性よりも強い伸縮性を有する素材が用いられている。
また、腰用サポーター１０使用時において補助ベルト１２のユーザー側となる部分には、ユーザー側に突出する突起物１３を有する板体１４が取付けられており、腰用サポーター１０の使用時にはこの突起物１３がユーザーの脊柱起立筋を圧迫する。
【０００５】
この腰用サポーター１０によると、サポーター本体１１に伸縮性があるので、使用時には強い力によってユーザーの骨盤の周囲が支持され、骨盤が安定することで腰痛が軽減される。
また、サポーター本体１１の伸縮性よりも伸縮性が強い補助ベルト１２を備えるので、サポーター本体１１による骨盤の支持が補助ベルト１２で補助され、さらに骨盤が安定する。
しかも、板体１４に取付けられた突起物１３がユーザーの脊柱起立筋を圧迫するので、脊柱起立筋が弛緩して骨盤が後傾する。その結果、ユーザーの姿勢がよくなり、上半身を支える腰部の負担が軽減されるので、さらに腰痛が改善される。
【発明の概要】
【発明が解決しようとする課題】
【０００６】
しかしながら、腰用サポーター１０は骨盤の周囲に巻き付けて使用されるので、股関節を中心とした非常に広い可動域を有する大腿部Ｄの付け根も骨盤とともに腰用サポーター１０で固定されてしまい、その大腿部Ｄの動きに腰用サポーター１０が干渉してしまう。
例えば、図８に示すように、腰用サポーター１０を使用した状態でユーザーが膝を上げるように大腿部Ｄを屈曲させると、腰用サポーター１０の下端が大腿部Ｄに持ち上げられてめくれてしまったり、大腿部Ｄの屈曲と伸展を繰り返すことで腰用サポーター１０が徐々に本来の位置からずれてしまったりする。このように、従来の腰用サポーター１０はユーザーの体の動きへの追従性に乏しいという問題がある。
もちろん、大腿部Ｄの付け根を避けるように腰用サポーター１０を骨盤上方の腹部に巻き付けると、腰用サポーター１０が全く骨盤に作用しないので、骨盤が安定せず腰痛は改善されない。
【０００７】
そこで、本発明の目的とするところは、ユーザーの体の動きへの追従性に優れる腰用サポーターを提供することにある。
【課題を解決するための手段】
【０００８】
上記の目的を達成するために、本発明の請求項１に記載の腰用サポーター（２０）は、左右方向に伸縮性を有し両端が面ファスナー（２５）によって着脱自在に貼合可能で、ユーザーの骨盤（Ｋ）の周囲を支持する一枚物の帯状体からなる腰用サポーター（２０）において、使用時にユーザーの仙骨（Ｓ）後方を面で宛てがい支持する中央部（２１）と、前記中央部（２１）の左右にそれぞれ設けられユーザーの腸骨（Ｃ）の周囲を支持する側面部（２２）を備え、前記側面部（２２）にはそれぞれ、前記中央部（２１）側からユーザーの中臀筋（Ｍ）を横切るように前記面ファスナー（２５）側に延びる短スリット（２３）が上下に複数形成され、
さらに、前記側面部（２２）及び中央部（２１）の上下方向略中央には、左右方向に延び一方の前記側面部（２２）から他方の前記側面部（２２）まで連続した少なくとも一つの長スリット（２４）が形成されたことを特徴とする。
【００１１】
また、請求項２に記載の腰用サポーター（２０）は、前記長スリット（２４）よりも下方に位置する前記短スリット（２３）の数を、前記長スリット（２４）よりも上方に位置する前記短スリット（２３）の数よりも多くしたことを特徴とする。
【００１２】
また、請求項３に記載の腰用サポーター（３０）は、左右方向に伸縮性を有し両端が面ファスナー（２５）によって着脱自在に貼合可能で、ユーザーの骨盤（Ｋ）の周囲を支持する腰用サポーター（３０）において、使用時にユーザーの仙骨（Ｓ）後方を面で宛てがい支持する中央部（３１）と、前記中央部（３１）の左右にそれぞれ設けられユーザーの腸骨（Ｃ）の周囲を支持する上側の第一側面部（３２）及び下側の第二側面部（３３）からなる側面部（３２，３３）を備え、左側の前記第一側面部（３２Ａ）の一端と左側の前記第二側面部（３３Ａ）の一端は互いに離間して前記中央部（３１）に連結され、左側の前記第一側面部（３２Ａ）の他端と左側の前記第二側面部（３３Ａ）の他端は互いに重ね合わせられて連結されるとともに、右側の前記第一側面部（３２Ｂ）の一端と右側の前記第二側面部（３３Ｂ）の一端は互いに離間して前記中央部（３１）に連結され、右側の前記第一側面部（３２Ｂ）の他端と右側の前記第二側面部（３３Ｂ）の他端は互いに重ね合わせられて連結され、しかも前記第一側面部（３２）及び第二側面部（３３）にはそれぞれ、前記中央部（３１）側からユーザーの中臀筋（Ｍ）を横切るように前記面ファスナー（２５）側に延びる短スリット（２３）が上下に複数形成されたことを特徴とする。
【００１４】
ここで、上記括弧内の記号は、図面および後述する発明を実施するための形態に掲載された対応要素または対応事項を示す。
【発明の効果】
【００１５】
本発明の請求項１に記載の腰用サポーターによれば、側面部にはそれぞれ、中央部側から面ファスナー側に延びる短スリットが上下に複数形成されたので、使用時にユーザーが膝を上げるように大腿部を屈曲させたとき、短スリットが幅方向（上下方向）に潰れ、腰用サポーターの下端がめくれ難い。このように、短スリットによって大腿部の屈曲に伴う腰用サポーターの変形や位置ずれが吸収され、腰用サポーターがユーザーの体に密着したままとなる。
ここで、中臀筋は縮むことで股関節を外転させて大腿部を体の左右外側に開く作用を主に担っているが、短スリットはその中臀筋を横切るように形成されたので、特に左右外側への大腿部の開閉に伴って大きく股関節が動く場合に、確実に短スリットが潰れて腰用サポーターの変形や位置ずれを吸収できる。
また、その他の方向への大腿部の複雑な動きに対しても、短スリットが開閉することで腰用サポーターの変形等を吸収できる。
このように、本発明に係る腰用サポーターはユーザーの体の動きへの追従性に優れるので、腰用サポーターの下端がめくれたり、また足の屈曲と伸展を繰り返しても腰用サポーターが本来の位置からずれたりし難い。
【００１６】
もちろん、短スリットが形成されていない側面部の部分では、使用時に中臀筋等の筋肉を介して又は直接、骨盤（腸骨）を締め付けて支持するので、ユーザーの静止時及び動作時において骨盤が安定し腰痛が軽減される。
また、腰用サポーターは一枚物の帯状体からなるので、厚さが薄く軽量であり、服を着用しても腰用サポーターを使用していることが外観上わかり難い。このように厚さが薄いので通気性にも優れ、夏場でも汗で蒸れ難く、またかぶれ難い。
【００１７】
また、それに加え、側面部及び中央部の上下方向略中央には、左右方向に延び一方の側面部から他方の側面部まで連続した少なくとも一つの長スリットが形成されたので、ユーザーが両膝を胸部に近付けるように両足を同時に屈曲したときには、腰部のうち腰用サポーターの中央部で覆った部位が上下に大きく伸びることに伴い、長スリットが大きく開く。このように、ユーザーが繰り返し両足を同時に屈曲しても腰用サポーターがその体の動きに追従するので、腰用サポーターが本来の位置からずれ難い。
さらに、ユーザーが上半身を腰部周方向にひねったときに、腰部の上部は腰部の下部よりもねじれ量が多いが、腰用サポーターには長スリットが形成されているので、長スリットよりも上方の腰用サポーターの部位が長スリットを境としてそのねじれに追従し、腰用サポーターが全体としてずれ難い。
【００１９】
また、請求項２記載の腰用サポーターによれば、請求項１に記載の発明の作用効果に加え、長スリットよりも下方に位置する短スリットの数を、長スリットよりも上方に位置する短スリットの数よりも多くしたので、長スリットの下方に位置する複数の短スリットが大腿部の屈曲に伴う腰用サポーターの変形を十分に吸収し、腰用サポーターの下端のめくれ等が防止される。
つまり、大腿部によって腰用サポーターの下端が持ち上げられる場合、複数の短スリットのうち下方に位置する短スリットが主に潰れて変形を吸収するので、その下方に位置する短スリットの数が多いことで効果的に腰用サポーターのめくれ等を防止することができる。
【００２０】
また、請求項３に記載の腰用サポーターによれば、第一側面部及び第二側面部にはそれぞれ、中央部側からユーザーの中臀筋を横切るように面ファスナー側に延びる短スリットが上下に複数形成されたので、使用時にユーザーが膝を上げるように大腿部を屈曲させたとき、短スリットが幅方向（上下方向）に潰れ、腰用サポーターの下端がめくれ難い。このように、短スリットによって大腿部の屈曲に伴う腰用サポーターの変形や位置ずれが吸収され、腰用サポーターがユーザーの体に密着したままとなる。
また、短スリットは中臀筋を横切るように形成されたので、特に左右外側への大腿部の開閉に伴って大きく股関節が動く場合に、確実に短スリットが潰れて腰用サポーターの変形や位置ずれを吸収できる。
また、その他の方向への大腿部の複雑な動きに対しても、短スリットが開閉して腰用サポーターの変形等を吸収できる。
このように、本発明に係る腰用サポーターはユーザーの体の動きへの追従性に優れるので、腰用サポーターの下端がめくれたり、また足の屈曲と伸展を繰り返しても腰用サポーターが本来の位置からずれたりし難い。
【００２１】
さらに、腰用サポーターのめくれやずれはその上下方向中央ではなく上下方向の端部から発生するが、側面部は上側の第一側面部及び下側の第二側面部からなり、左側の第一側面部の一端と左側の第二側面部の一端は互いに離間して中央部に連結されるとともに、右側の第一側面部の一端と右側の第二側面部の一端は互いに離間して中央部に連結されるので、中央部において第一側面部が連結された上側部分と第二側面部が連結された下側部分の上下二段に張力が強く掛かる。したがって、中央部の上下方向の端部にめくれやずれが発生し難い。
【００２３】
なお、本発明の腰用サポーターのように、側面部にはそれぞれ、中央部側からユーザーの中臀筋を横切るように面ファスナー側に延びる短スリットが上下に複数形成された点は、上述した特許文献１には全く記載されていない。
【図面の簡単な説明】
【００２４】
【図１】本発明の第一実施形態に係る腰用サポーターを示す平面図である。
【図２】図１に示す腰用サポーターの使用状態を示す側面図であり、ユーザーの大腿部の伸展時を示す。
【図３】図１に示す腰用サポーターの使用状態を示す側面図であり、ユーザーの大腿部の屈曲時を示す。
【図４】本発明の他の第一実施形態に係る腰用サポーターの使用状態を示す側面図である。
【図５】本発明の第二実施形態に係る腰用サポーターを示す平面図である。
【図６】本発明の他の実施形態に係る腰用サポーターを示す平面図である。
【図７】従来例に係る腰用サポーターを示す平面図である。
【図８】図７に示す腰用サポーターの使用状態を示す側面図であり、ユーザーの大腿部の屈曲時を示す。
【発明を実施するための形態】
【００２５】
（第一実施形態）
図１乃至図３を参照して、本発明の第一実施形態に係る腰用サポーター２０を説明する。
この腰用サポーター２０は中央部２１と側面部２２を備え、ユーザーの骨盤Ｋの周囲に巻き付けられて骨盤Ｋを支持するものである。
また、腰用サポーター２０は一枚物の帯状体であり、左右方向に伸縮性を有するように編まれてなる。
この素材としては、例えばポリエステルにポリウレタンが混合されたものが考えられるが、腰用サポーター２０の素材として一般に用いられているものであれば、これに限られるものではない。
また、腰用サポーター２０は一定幅（ここでは１１０ｍｍ）で、その上端と下端は左右に平行に延びる。
【００２６】
中央部２１は、使用時にユーザーの仙骨Ｓ後方（腰部中央）を面で宛てがい支持する部位であり、後述する長スリット２４によって上下に分断された二つの面からなる。
【００２７】
側面部２２は、中央部２１の左右にそれぞれ設けられ、ユーザーの腸骨Ｃの周囲を支持する部位である。中央部２１と側面部２２は連続しているので、中央部２１と側面部２２の明確な境目があるわけではない。強いていえば、後述する短スリット２３が形成された部分から左右外側が側面部２２である。
また、腰用サポーター２０の両端、すなわち側面部２２の左右外側には面ファスナー２５が側面部２２に重ね合わされて縫い付けられており、その面ファスナー２５によって着脱自在に貼合可能となっている。
面ファスナー２５が縫い付けられていない側面部２２の部位と中央部２１は、左右方向に均一の伸縮性を有する。
【００２８】
そして、左右の側面部２２にはそれぞれ、中央部２１側から面ファスナー２５側（左右外側）に延び側面部２２を貫通する短スリット２３を上下に複数（ここでは五つ）形成した。この短スリット２３は、腰用サポーター２０の使用時には大臀筋上端からユーザーの中臀筋Ｍを横切り、上前腸骨棘Ｊの左右外側まで達する。各短スリット２３の幅及び長さはいずれも等しい。また、左側の側面部２２の各短スリット２３の始点と終点の左右方向の位置はそれぞれ等しく、右側の側面部２２の各短スリット２３の始点と終点の左右方向の位置もそれぞれ等しい。
このとき、短スリット２３が形成された側面部２２の部位と面ファスナー２５との間には、短スリット２３が形成されていない側面部２２の部位が存在する。
【００２９】
さらに、側面部２２及び中央部２１の上下方向略中央には、左右方向に延び一方の側面部２２から他方の側面部２２まで連続した一つの長スリット２４を、上側から二番目の短スリット２３と上側から三番目の短スリット２３の間に形成した。つまり、長スリット２４よりも下方に位置する短スリット２３の数（ここでは三つ）を、長スリット２４よりも上方に位置する短スリット２３の数（ここでは二つ）よりも多くした。長スリット２４は中央部２１及び側面部を貫通している。
また、隣接する短スリット２３間の距離、及び隣接する短スリット２３と長スリット２４の間の距離はいずれも等しい。
【００３０】
また、長スリット２４の左端の左右方向の位置は、左側の側面部２２に形成された短スリット２３の左端の左右方向の位置と等しく、長スリット２４の右端の左右方向の位置は、右側の側面部２２に形成された短スリット２３の右端の左右方向の位置と等しい。
ここで、短スリット２３と長スリット２４は、腰用サポーター２０を編むと同時に形成されるものであって、短スリット２３と長スリット２４が形成されていない腰用サポーター２０が製造された後に切り欠いて形成するものではない。
【００３１】
なお、短スリット２３の幅を１．５ｍｍ（好ましくは１．０〜２．０ｍｍ）、長さを１５０ｍｍとし、長スリット２４の幅を１．５ｍｍ（同様に１．０〜２．０ｍｍ）、長さを４８０ｍｍとしたが、重要なことは長さの絶対値ではなく、各ユーザーのどの部分に短スリット２３等が位置するかであり、これは商品毎のサイズ展開によって対応する。
【００３２】
次に、本実施形態に係る腰用サポーター２０の使用状態について説明する。
図２に示すように、ユーザーが起立した状態で腰用サポーター２０を骨盤Ｋの周囲に巻き付け、臍の下方で面ファスナー２５同士を貼合して腰用サポーター２０を固定する。
この使用状態において、例えば階段を上がる際には、膝を持ち上げるように大腿部Ｄを屈曲させる場面は頻繁に発生し、大腿部Ｄの動きによって腰用サポーター２０の下端が持ち上がってしまう。
このとき図３に示すように、短スリット２３（特に下側に位置する短スリット２３）が幅方向に潰れ、腰用サポーター２０がユーザーの体に密着したままとなり、腰用サポーター２０の下端がめくれない。
【００３３】
以上のように構成及び使用される腰用サポーター２０によれば、側面部２２にはそれぞれ、中央部２１側から面ファスナー２５側に延びる短スリット２３が上下に複数形成されたので、使用時にユーザーが膝を上げるように大腿部Ｄを屈曲させたとき、短スリット２３が幅方向（上下方向）に潰れ、腰用サポーター２０の下端がめくれ難い。このように、短スリット２３によって大腿部Ｄの屈曲に伴う腰用サポーター２０の変形や位置ずれが吸収され、腰用サポーター２０がユーザーの体に密着したままとなる。
ここで、中臀筋Ｍは縮むことで股関節を外転させて大腿部Ｄを体の左右外側に開く作用を主に担っているが、短スリット２３はその中臀筋Ｍを横切るように形成されたので、特に左右外側への大腿部Ｄの開閉に伴って大きく股関節が動く場合に、確実に短スリット２３が潰れて腰用サポーター２０の変形や位置ずれを吸収できる。
【００３４】
また、その他の方向への大腿部Ｄの複雑な動きに対しても、短スリット２３が開閉することで腰用サポーター２０の変形等を吸収できる。
このように、本実施形態に係る腰用サポーター２０はユーザーの体の動きへの追従性に優れるので、腰用サポーター２０の下端がめくれたり、また足の屈曲と伸展を繰り返しても腰用サポーター２０が本来の位置からずれたりし難い。
【００３５】
もちろん、短スリット２３が形成されていない側面部２２の部分では、使用時に中臀筋Ｍ等の筋肉を介して又は直接、骨盤Ｋ（腸骨Ｃ）を締め付けて支持するので、ユーザーの静止時及び動作時において骨盤Ｋが安定し腰痛が軽減される。
また、腰用サポーター２０は一枚物の帯状体からなるので、厚さが薄く軽量であり、服を着用しても腰用サポーター２０を使用していることが外観上わかり難い。このように厚さが薄いので通気性にも優れ、夏場でも汗で蒸れ難く、またかぶれ難い。
【００３６】
しかも、側面部２２及び中央部２１の上下方向略中央には、左右方向に延び一方の側面部２２から他方の側面部２２まで連続した一つの長スリット２４が形成されたので、ユーザーが両膝を胸部に近付けるように両足を同時に屈曲したときには、腰部のうち腰用サポーター２０の中央部２１で覆った部位が上下に大きく伸びることに伴い、長スリット２４が大きく開く。このように、ユーザーが繰り返し両足を同時に屈曲しても腰用サポーター２０がその体の動きに追従するので、腰用サポーター２０が本来の位置からずれ難い。
さらに、ユーザーが上半身を腰部周方向にひねったときに、腰部の上部は腰部の下部よりもねじれ量が多いが、腰用サポーター２０には長スリット２４が形成されているので、長スリット２４よりも上方の腰用サポーター２０の部位が長スリット２４を境にそのねじれに追従し、腰用サポーター２０が全体としてずれ難い。
【００３７】
また、長スリット２４よりも下方に位置する短スリット２３の数を、長スリット２４よりも上方に位置する短スリット２３の数よりも多くしたので、長スリット２４の下方に位置する複数の短スリット２３が大腿部Ｄの屈曲に伴う腰用サポーター２０の変形を十分に吸収し、腰用サポーター２０の下端のめくれ等が防止される。
つまり、大腿部Ｄによって腰用サポーター２０の下端が持ち上げられる場合、図３に示すように、複数の短スリット２３のうち下方に位置する短スリット２３が主に潰れて変形を吸収するので、その下方に位置する短スリット２３の数が多いことで効果的に腰用サポーター２０のめくれ等を防止することができる。
【００３８】
ここで、図４に示すように、短スリット２３を延長してユーザーの上前腸骨棘Ｊの前方まで形成してもよい。
このように短スリット２３を長くすることで、大腿部Ｄを屈曲させた場合に短スリット２３が幅方向にさらに円滑に潰れるので、より追従性に優れる。
【００３９】
（第二実施形態）
次に図５を参照して、本発明の第二実施形態に係る腰用サポーター３０を説明する。なお、第一実施形態と同一部分には同一符号を付した。
第一実施形態は腰用サポーター２０が一枚物の帯状体であったが、本実施形態では複数のパーツが縫い合わされてなる点において異なり、その他の構成要素に関しては第一実施形態と同一である。
【００４０】
中央部３１は、縫い合わせ前においては側面部３２，３３とは独立した面体である。
側面部３２，３３は、上側の第一側面部３２及び下側の第二側面部３３からなる。その第一側面部３２及び第二側面部３３はそれぞれ左右一つずつある。第一側面部３２は左右方向に一直線状に延び、一方、第二側面部３３は逆ハ字状に配置されている。
左側の第一側面部３２Ａの一端と左側の第二側面部３３Ａの一端は互いに離間して中央部３１に連結され、左側の第一側面部３２Ａの他端と左側の第二側面部３３Ａの他端は互いに重ね合わせられて連結されている。
同様に、右側の第一側面部３２Ｂの一端と右側の第二側面部３３Ｂの一端は互いに離間して中央部３１に連結され、右側の第一側面部３２Ｂの他端と右側の第二側面部３３Ｂの他端は互いに重ね合わせられて連結されている。
なお、腰用サポーター３０の中央部３１において、左側の第一側面部３２Ａの一端と右側の第一側面部３２Ｂの一端とが、また左側の第二側面部３３Ａの一端と右側の第二側面部３３Ｂの一端とがそれぞれ接続されていてもよい。
【００４１】
そして、第一側面部３２及び第二側面部３３にはそれぞれ、中央部３１側からユーザーの中臀筋Ｍを横切るように面ファスナー２５側に延びる短スリット２３が上下に複数（ここでは四つずつ）形成されている。
なお、本実施形態では第一実施形態における長スリット２４は形成されていない。
【００４２】
以上のように構成される腰用サポーター３０も第一実施形態に係る腰用サポーター２０と同様に、第一側面部３２及び第二側面部３３にはそれぞれ、中央部３１側からユーザーの中臀筋Ｍを横切るように面ファスナー２５側に延びる短スリット２３が上下に複数形成されたので、使用時にユーザーが膝を上げるように大腿部Ｄを屈曲させたとき、短スリット２３が幅方向（上下方向）に潰れ、腰用サポーター３０の下端がめくれ難い。このように、短スリット２３によって大腿部Ｄの屈曲に伴う腰用サポーター３０の変形や位置ずれが吸収され、腰用サポーター３０がユーザーの体に密着したままとなる。
【００４３】
また、短スリット２３は中臀筋Ｍを横切るように形成されたので、特に左右外側への大腿部Ｄの開閉に伴って大きく股関節が動く場合に、確実に短スリット２３が潰れて腰用サポーター３０の変形や位置ずれを吸収できる。
また、その他の方向への大腿部Ｄの複雑な動きに対しても、短スリット２３が開閉することで腰用サポーター３０の変形等を吸収できる。
このように、本発明に係る腰用サポーター３０はユーザーの体の動きへの追従性に優れるので、腰用サポーター３０の下端がめくれたり、また足の屈曲と伸展を繰り返しても腰用サポーター３０が本来の位置からずれたりし難い。
【００４４】
さらに、腰用サポーター３０のめくれやずれはその上下方向中央ではなく上下方向の端部から発生するが、側面部は上側の第一側面部３２及び下側の第二側面部３３からなり、左側の第一側面部３２Ａの一端と左側の第二側面部３３Ａの一端は互いに離間して中央部３１に連結されるとともに、右側の第一側面部３２Ｂの一端と右側の第二側面部３３Ｂの一端は互いに離間して中央部３１に連結されるので、中央部３１において第一側面部３２が連結された上側部分と第二側面部３３が連結された下側部分の上下二段に張力が強く掛かる。したがって、中央部３１の上下方向の端部にめくれやずれが発生し難い。
【００４５】
なお、第一実施形態において、図６に示すように短スリット２３を形成せずに長スリット２４のみを形成してもよい。この場合であっても、ユーザーが両膝を胸部に近付けるように両足を同時に屈曲したときには、腰部のうち腰用サポーター２０の中央部２１で覆った部位が上下に大きく伸びることに伴い、長スリット２４が大きく開き、腰用サポーター２０本来の位置からずれ難い。
【００４６】
また、第一実施形態において、長スリット２４を一つ形成したが、複数であってもよい。但し、二つまでが望ましい。これは、長スリット２４は短スリット２３の二倍以上長く、その分上下方向の開閉量が大きいので、長スリット２４の数が少なくても両足の屈曲や上半身のひねり等に対応出来るためである。
【００４７】
また、長スリット２４よりも下方に位置する短スリット２３の数を、長スリット２４よりも上方に位置する短スリット２３の数よりも多くしたが、これに限られるものではなく、同数でもよいし、上方に位置する短スリット２３のほうが多くてもよい。なお、短スリット２３の数は５〜１０本が望ましい。
【００４８】
また、第一実施形態のように一枚物の帯状体からなる腰用サポーター２０において、長スリット２４が形成されず、短スリット２３のみが形成されていてもよい。
さらに、第一実施形態では独立した一枚物の帯状体からなる腰用サポーター２０であったが、これをスパッツ等と一体化させてもよい。
【００４９】
また、第一実施形態及び第二実施形態では側面部２２，３２，３３が上下二つに分かれているが、その二つで左右方向の伸縮力が異なっていてもよい。
【符号の説明】
【００５０】
１０      腰用サポーター
１１      サポーター本体
１２      補助ベルト
１３      突起物
１４      板体
１５      面ファスナー
２０      腰用サポーター
２１      中央部
２２      側面部
２３      短スリット
２４      長スリット
２５      面ファスナー
３０      腰用サポーター
３１      中央部
３２      第一側面部（側面部）
３２Ａ    左側の第一側面部
３２Ｂ    右側の第一側面部
３３      第二側面部（側面部）
３３Ａ    左側の第二側面部
３３Ｂ    右側の第二側面部
Ｃ      腸骨
Ｄ      大腿部
Ｊ      上前腸骨棘
Ｋ      骨盤
Ｍ      中臀筋
Ｓ      仙骨
【図１】
0005592871.tif 000002
【図２】
0005592871.tif 000003
【図３】
0005592871.tif 000004
【図４】
0005592871.tif 000005
【図５】
0005592871.tif 000006
【図６】
0005592871.tif 000007
【図７】
0005592871.tif 000008
【図８】
0005592871.tif 000009